(57)【要約】【課題】パッシブマトリックスタイプのパネルを備える透明表示装置において、パネルサイズ全体に対して表示領域が占める割合を大きくすることができ、かつ、輝度低下および輝度ムラを抑制することができる透明表示装置を提供する。【解決手段】例えば、ＥＬ表示装置をＥＬパネル１０の３縁部にゴムコネクタ１１等の接続手段を設けた構成とする。これにより、ＥＬパネル１０中の横のストライプ状に配置された第１透明電極の両端を回路基板１３の走査ドライバＩＣと電気的に接続する。また、ＥＬパネル１０中の縦のストライプ状に配置された第２透明電極の片側一端を回路基板１３中の駆動ドライバＩＣと電気的に接続する。【選択図】        図２
2004163827.tif 000002
【特許請求の範囲】
【請求項１】
ともにストライプ形状をなす第１透明電極（２）と第２透明電極（６）とが交差するように配置され、前記第１透明電極（２）と前記第２透明電極（６）の交差部分に画素が設けられてなる略矩形形状の透明表示部（１０）と、前記第１透明電極および前記第２透明電極と電気的に接続された回路基板（１３）とを備えてなる透明表示装置において、
前記透明表示部の３縁部に前記第１透明電極および前記第２透明電極と前記回路基板とを電気的に接続するための接続手段（１１、２１、２２）が設けられており、前記第１透明電極の両端および前記第２透明電極の片側一端は、前記３縁部のうち、それぞれ最も近い縁部にて、前記接続手段を介して前記回路基板と電気的に接続されていることを特徴とする透明表示装置。
【請求項２】
前記接続手段としてゴム（１６）に複数の電極（１７）が固定されているゴムコネクタ（１１）を用い、
前記回路基板と前記透明表示部との間に前記ゴムコネクタを配置し、前記ゴムコネクタを前記回路基板と前記透明表示部とにより挟むことで、前記回路基板と前記第１透明電極および第２透明電極とを電気的に接続することを特徴とする請求項１に記載の透明表示装置。
【請求項３】
前記回路基板は前記透明表示部の前記３縁部に沿ったＵ字形状であることを特徴とする請求項２に記載の透明表示装置。
【請求項４】
前記接続手段として、フレキシブルプリント配線板（２１、２２）を用いることを特徴とする請求項１に記載の透明表示装置。
【請求項５】
前記フレキシブルプリント配線板は、前記透明表示部の前記３縁部のうち、前記第１透明電極の両端と接続されている第１、第２の縁部側では、前記第１、第２の縁部の辺と平行な軸を中心に曲げることができ、前記透明表示部の前記３縁部のうち、前記第２透明電極の片側一端と接続されている第３の縁部側では、前記第３の縁部と前記回路基板との間にて、前記第３の縁部の辺と平行な軸を中心に曲げることができる形状であることを特徴とする請求項４に記載の透明表示装置。
【発明の詳細な説明】
【０００１】
【発明の属する技術分野】
本発明は、透明表示装置に関するものである。
【０００２】
【従来の技術】
従来、透明表示装置の１つにＥＬ（Ｅｌｅｃｔｒｏ  Ｌｕｍｉｎｅｓｃｅｎｃｅ）表示装置がある。これはパネルがＥＬ素子が形成された透明表示部として構成されているものである。図１０にパネルの断面図を示す。
【０００３】
ＥＬ表示装置に用いられるパネル（以下では、ＥＬパネルと呼ぶ）は、図１０に示すように、ガラス基板１の上に第１電極２、第１絶縁膜３、発光層４、第２絶縁膜５、第２電極６、接着剤７、カバーガラス８が積層された構成となっている。特に、第１電極２および第２電極６をＩＴＯ（Ｉｎｓｉｕｍ  Ｔｉｎ  Ｏｘｉｄｅ）等の透明電極で形成することで、透明表示部としてのＥＬパネルを構成できることが知られている。
【０００４】
このようなＥＬパネルを用いた表示装置の構造としては、例えば、ＥＬパネルの１縁部にのみ接続端子部を設けた構造が提案されている（特許文献１参照）。このＥＬ表示装置では、第１電極２と第２電極６とがストライプ状であって、縦横に交差するように配置されたパッシブマトリックスタイプのＥＬパネルを用いている。
【０００５】
そして、ＥＬパネルを構成するガラス基板１の形状が略矩形形状のとき、上縁部と左右側縁部には接続端子部を設けず、ＥＬパネルの下縁部にのみ接続端子部を設けている。この接続端子部において、ＩＴＯからなる透明な電極配線を両電極２、６から延設し、この電極配線と回路基板とを電気的に接続するようにしている。これにより、ＥＬパネルの上縁部と左右側縁部では枠部の無い透明な状態となっている。
【０００６】
【特許文献１】
特許第２８４８２３６号公報（第５図）
【０００７】
【発明が解決しようとする課題】
しかし、上記した構造の透明ＥＬ表示装置では、第１電極２および第２電極６と接続端子部とを透明な電極配線にて接続しており、パネル内にこの透明な電極配線を取り回すための領域を確保する必要がある。このため、パネルサイズに対して、パネル内の表示領域が小さくなってしまうという問題がある。
【０００８】
さらに、ＩＴＯ電極の配線を取り回すため、その分ＩＴＯ電極の配線長が長くなっており、配線抵抗が大きくなっている。また、上記した構造のように、第１電極の片方の端部のみを回路基板と電気的に接続したときでは、第１電極のうち、その端部に近い領域と遠い領域とではその端部からの距離が異なるため、電極自身の配線抵抗が異なる。これらの理由により、輝度低下および輝度ムラが生じてしまうという問題がある。
【０００９】
本発明は上記点に鑑みて、透明表示装置において、パネルサイズ全体に対して表示領域が占める割合を上記した従来構造よりも大きくすることができ、輝度低下および輝度ムラを抑制することができる透明表示装置を提供することを目的とする。
【００１０】
【課題を解決するための手段】
上記目的を達成するため、請求項１に記載の発明では、透明表示部の３縁部に接続手段（１１、２１、２２）が設けられており、第１透明電極の両端および第２透明電極の片側一端は、３縁部のうち、それぞれ最も近い縁部にて、接続手段を介して回路基板と電気的に接続されていることを特徴としている。
【００１１】
このように第１透明電極の両端および第２透明電極の片側一端を透明表示部の縁部のうち、最も近い縁部にて、接続手段と接続させていることから、上記した従来構造のように電極配線を取り回す領域を確保する必要がない。これにより、上記した従来構造よりも表示領域を大きくすることができる。
【００１２】
また、電極配線を取り回す必要がないことから、電極配線の長さを上記した従来構造よりも短くすることができ、第１透明電極および第２透明電極の配線抵抗を低減することができる。これにより、輝度低下および輝度ムラを抑制することができる。
【００１３】
さらに、第１透明電極の両端を回路基板と電気的に接続していることから、第１透明電極の両端に電圧を印加することができる。このため、上記した従来構造のように、第１透明電極の片側一端のみを回路基板と電気的に接続している場合と比較して、第１透明電極の各部位における配線抵抗のばらつきを低減することができ、輝度低下および輝度ムラを抑制することができる。
【００１４】
接続手段としては、請求項２に示すように、ゴムに複数の電極が固定されているゴムコネクタ（１１）を用いることができる。また、回路基板の形状としては、請求項３に示すように、例えば、透明表示部の３縁部に沿ったＵ字形状とすることができる。
【００１５】
また、請求項４に示すように、接続手段として、フレキシブルプリント配線板（２１、２２）を用いることができる。この場合、フレキシブルプリント配線板（２１、２２）の形状は、請求項５に示すような形状とすることが好ましい。
【００１６】
具体的には、透明表示部の３縁部のうち、第１透明電極の両端と接続されている第１、第２の縁部側では、第１、第２の縁部の辺と平行な軸を中心に曲げることができ、透明表示部の３縁部のうち、第２透明電極の片側一端と接続されている第３の縁部側では、第３の縁部と回路基板との間にて、第３の縁部の辺と平行な軸を中心に曲げることができる形状とする。
【００１７】
請求項５の発明によれば、透明表示部の第１、第２の縁部ではフレキシブルプリント配線板を丸めて、小さくすることができ、第１、第２の縁部に設けられる枠の幅を狭くすることができる。これにより、透明表示部の両縁部に枠を設けることによって、枠を設けない場合と比較して、透明感が損なわれるのを抑制できる。
【００１８】
また、透明表示部の第３の縁部と回路基板とを接続している部位では、下縁部の辺と平行な軸を中心に曲げることができることから、透明表示部と回路基板とを重ねるように折りたたむことが可能な構造の透明表示装置を提供することができる。
【００１９】
なお、上記各手段の括弧内の符号は、後述する実施形態に記載の具体的手段との対応関係を示すものである。
【００２０】
【発明の実施の形態】
（第１実施形態）
図１に本発明の第１実施形態におけるＥＬ表示装置の外観を示し、図２に図１のＥＬ表示装置を分解したときの図を示す。また、図３にＥＬパネルの電極配線を模式的に示す。
【００２１】
本実施形態におけるＥＬ表示装置は、図２に示すように、図中の手前側から奥側に向かって順に、カバー９、ＥＬパネル１０、ゴムコネクタ１１、スペーサ１２、回路基板１３、およびカバー１４が配置された構成となっている。そして、これらが重ね合わせられることで、ＥＬパネル１０がカバー９、１４等により狭持され、カバー９、スペーサ１２、回路基板１３、カバー１４がスクリュ１５により固定される。
【００２２】
ＥＬパネル１０は、図１０に示すように、ガラス基板１の上に順次第１電極２、第１絶縁膜３、発光層（ＥＬ発光層）４、第２絶縁膜５、および第２電極６が真空蒸着、またはスパッタリング法により形成されており、さらに、耐圧保護のために、接着剤７を介して、ガラス基板１に対してカバーガラス８を張り合わせた構成となっている。
【００２３】
ＥＬパネル１０中の第１電極２と第２電極６は、ＩＴＯにより構成され透明である。そして、図３に示すように、第１電極２は横のストライプ状に、第２電極６は縦のストライプ状となっており、第１電極２と第２電極６とが互いに直交している。
【００２４】
この第１電極２と第２電極６とが直交した部分が、電極２、６間に挟まれている第１絶縁膜３、第２絶縁膜５および発光層４とともに画素を構成しており、第１電極２、第２電極６間に電圧を印加することで、この画素が発光可能となっている。そして、この画素が格子状に配置された領域がＥＬパネル１０における表示領域１０ａである。
【００２５】
また、第１電極２および第２電極６と回路基板１３とを電気的に接続するためのスペースとして、ＥＬパネル１０の縁部１０ｂがある。第１電極２の両端は、それぞれＥＬパネル１０の左右両縁部１０ｂまで延設されており、第２電極６の片側一端はＥＬパネル１０の下縁部１０ｂまで延設されている。
【００２６】
なお、第１電極２、第２電極６はそれぞれ、特許請求の範囲に記載の第１透明電極、第２透明電極に相当する。また、ＥＬパネル１０が特許請求の範囲に記載の透明表示部に相当する。
【００２７】
ここで、発光層４は例えば、ＺｎＳ、ＺｎＳｅ等の半導体材料にて構成されており、発光中心としては、Ｍｎ、Ｔｂ、Ｓｍ等を用いることができる。なお、発行中心にＭｎを用いた場合では黄橙色、Ｔｂを用いた場合では緑色、Ｓｍを用いた場合では、赤色の発光を生じる。また、第１絶縁膜３および第２絶縁膜５はＴｉＯ２、Ａｌ２Ｏ３、ＳｉＯ２、Ｓｉ３Ｎ４等の誘電体により構成されている。
【００２８】
ゴムコネクタ１１は、図２に示すように、ＥＬパネル１０と回路基板１３との間に配置されており、スペーサ１２に形成されている角穴形状のホルダー１２ａに挿入される。そして、ゴムコネクタ１１はスペーサ１２と一緒に、ＥＬパネル１０と回路基板１３とに狭持される。
【００２９】
これにより、ゴムコネクタ１１がＥＬパネル１０と回路基板１３との間にて圧縮され、ＥＬパネル１０および回路基板１３のそれぞれに対応する電極が、ゴムコネクタ１１を介して電気的に接続される。なお、このゴムコネクタ１１が特許請求の範囲に記載の接続手段に相当する。
【００３０】
ここで、図４にゴムコネクタ１１の外観斜視図を示す。具体的には、ゴムコネクタ１１は図４に示すように、例えば角柱状のシリコンゴム１６に金属電極１７が複数取り付けられた構成となっている。金属電極１７は例えば真鍮からなり、線径は約３０μｍである。また、金属電極１７のピッチ１７ａは５０μｍとなっている。
【００３１】
図５、６にゴムコネクタ１１によるＥＬパネル１０と回路基板１３との接続の様子を示す。図５は、図１のＡ−Ａ線断面図であり、図６は図１のＢ矢視図である。
【００３２】
図５に示すように、ゴムコネクタ１１がＥＬパネル１０と回路基板１３との間にて、圧縮されることで、ＥＬパネル１０の第１電極２と、回路基板１３の電極２０とが金属電極１７を介して電気的に接続される。このとき、ゴムコネクタ１１の圧縮率を１０〜４０％とすることで、良好に接続することができる。なお、ＥＬパネル１０の第２電極６も同様に回路基板１３の電極と電気的に接続されている。
【００３３】
また、図６に示すように、ゴムコネクタ１１における金属電極１７のピッチ１７ａが非常に狭いものを用いる場合では、ＥＬパネル１０の第１電極２のピッチ２ａおよび回路基板１３の電極２０のピッチ２０ａを金属電極１７のピッチ１７ａよりも大きくする。これにより、対応するＥＬパネル１０の第１電極２と回路基板１３の電極２０とを電気的に接続することができる。
【００３４】
このように、本実施形態では、ＥＬパネル１０をカバー９、１４等により狭持し、ＥＬパネル１０と回路基板１３との間にゴムコネクタ１１を挟むことで、ＥＬパネル１０と回路基板１３とを電気的に接続するようにしている。ＥＬパネル１０とゴムコネクタ１１とを直接固定していないことから、ＥＬパネル１０とゴムコネクタ１１との着脱が容易である。このため、本実施形態のＥＬ表示装置は、ＥＬパネル１０に不具合が生じた場合、ＥＬパネル１０のみを交換することができ、リペア性が優れている。
【００３５】
回路基板１３は、図２に示すように、Ｕ字形状となっており、ＥＬパネル１０の左右縁部１０ｂおよび下縁部１０ｂと重なる大きさとなっている。なお、本明細書でいうＵ字形状とは文言通り、Ｕ字であり角が丸みを帯びている状態や、コの字のように角を有する形状も含む。回路基板１３は、図２では示さないが、駆動ドライバＩＣ１８と走査ドライバＩＣ１９（図３参照）とを備えている。
【００３６】
図３に示すように、駆動ドライバＩＣ１８は縦のストライプ状の第２電極６と電気的に接続されており、走査ドライバＩＣ１９は、横のストライプ状の第１電極２と電気的に接続されている。特に、走査ドライバＩＣ１９は、図示しないが回路基板１３のパターン内で分岐され、第１電極２の両端部に接続されており、第１電極２に対して左右両側から走査信号を送信することが可能である。
【００３７】
このように構成されたＥＬ表示装置は、駆動ドライバＩＣ１８に例えば４０〜６０Ｖの電圧を印加することで、駆動ドライバＩＣ１８から駆動電極としての第２電極６に駆動信号を送信する。また、走査ドライバＩＣ１９に例えば２００〜２５０Ｖの電圧を印加することで、走査ドライバＩＣ１９から走査電極としての第１電極２に走査信号を送信する。
【００３８】
これにより、第１電極２と第２電極６との交差部分である発光画素を選択して発光させることで、ＥＬパネル１０に文字、図形等が表示される。
【００３９】
本実施形態のＥＬ表示装置は、上記したように、第１電極２および第２電極６の交差部である画素がマトリックス状に配置されたＥＬパネル１０において、走査電極としての第１電極２がＥＬパネル１０の左右両縁部１０ｂにおいて、ゴムコネクタ１１を介して回路基板１３の走査ドライバＩＣ１９と電気的に接続されている。また、駆動電極としての第２電極６がＥＬパネル１０の下縁部１０ｂにおいて、ゴムコネクタ１１を介して回路基板１３の駆動ドライバＩＣ１８と電気的に接続された構成となっている。
【００４０】
このように本実施形態では、第１電極２の両端および第２電極６の片側一端を、ＥＬパネル１０の３縁部１０ｂのうち、最も近い縁部１０ｂにおいて、ゴムコネクタ１１と接続させている。
【００４１】
このことから、上記従来技術の欄に記載した構造のＥＬ表示装置のように、ＥＬパネル１０の側縁部１０にて電極配線を取り回す領域を確保する必要がない。これにより、上記した従来構造よりも表示領域１０ａを拡大することができる。さらに、表示領域１０ａとゴムコネクタ１１との間における電極配線を短くし、配線抵抗を低減できるので、輝度低下および輝度ムラを抑制することができる。
【００４２】
また、上記した従来構造のように第１電極２の左右両端のうち、片側一端のみを回路基板１３と接続した場合では、第１電極２のうち、ゴムコネクタ１１に近い部位と、ゴムコネクタ１１から遠い部位とでは、ゴムコネクタ１１からの配線長が異なるため、配線抵抗が大きく異なる。このため、輝度低下や輝度ムラが発生してしまう。
【００４３】
これに対して、本実施形態では、第１電極２の両端にゴムコネクタ１１を介して走査ドライバＩＣ１９を接続し、第１電極２の両端に走査信号を送信するようにしている。このため、ゴムコネクタ１１から第１電極２の各部位までの配線抵抗の差を低減することができ、輝度低下や輝度ムラを抑制することができる。これにより、表示品位の低下を抑制したＥＬ表示装置を得ることができる。
【００４４】
なお、本実施形態において、走査電極としての第１電極２の両端をゴムコネクタ１１と接続しているのは、上述したように、駆動電極よりも走査電極の方が高電圧が印加されるため、走査電極の配線抵抗の方が駆動電極の配線抵抗よりも輝度への影響が大きいからである。
【００４５】
また、本実施形態によれば、第１電極２の両端に走査信号を送信することから、ゴムコネクタ１１から最も離れた部位までの距離が上記した従来構造よりも短い範囲内に調整することで、上記した従来構造と比較して、輝度低下や輝度ムラを抑制しつつ、ＥＬパネル１０を大型化することもできる。
【００４６】
また、本実施形態では、回路基板１３とカバー９、１４とがＥＬパネル１０の枠部となっており、枠部が３縁部１０ｂに設けられた構造となっている。ＥＬパネル１０の１縁部にのみ接続端子部を設けた構造のものと比較すると、本実施形態のＥＬ表示装置は、左右両側の枠部の分だけ透明感が損なわれているが、ＥＬパネル１０の４縁部に枠部を設ける構造とするよりは、透明感が確保されている。
【００４７】
なお、回路基板１３を多層構造とすることで、ＥＬパネル１０の左右両側の枠部の幅をより小さくすることができる。これにより、ＥＬパネル１０の透明感を高めることもできる。
【００４８】
なお、本実施形態では、回路基板１３の形状をＵ字形状としていたが、ＥＬパネル１０の左右両縁部１０ｂおよび下縁部１０ｂと重ね合わせられ、ＥＬパネル１０の透明感を損なわない形状であれば、他の形状とすることもできる。
【００４９】
例えば、本実施形態における回路基板１３のうち、ＥＬパネル１０の下縁部１０ｂ側の部位は、ＥＬパネル１０の透明感に対しては特に影響がない。したがって、ＥＬパネル１０の下縁部１０ｂ側の部位に対して凸部、凹部等をさらに設けた形状とすることもできる。
【００５０】
（第２実施形態）
図７、８、９に第２実施形態におけるＥＬ表示装置を示す。本実施形態のＥＬ表示装置が、第１実施形態の図１に示す構造と異なる点は、図７に示すように、主に接続手段としてのゴムコネクタ１１の代わりにＦＰＣ（フレキシブルプリント配線板）２１、２２を用いている点である。さらに好ましい形態は図８に示される。
【００５１】
図８に示すように、ＦＰＣ２１はＥＬパネル１０の左右両縁部１０ｂに接続されている。ＦＰＣ２１は、ＥＬパネル１０の左右両縁部１０ｂに接続されている部位が、ＥＬパネル１０の側縁部１０ｂにおける辺と平行な軸を中心に（図中の矢印Ａ方向）丸めることができ、かつ、ＥＬパネル１０の下側では、ＥＬパネル１０の下縁部１０ｂにおける辺に平行な軸を中心に（図中の矢印Ｂ方向）曲げることができるようにクランク形状となっている。
【００５２】
言い換えると、ＦＰＣ２１は、ＥＬパネル１０の左右両縁部１０ｂに接続されている部位では、ＥＬパネル１０の左右両縁部１０ｂに設けられる枠部の幅が小さくなるように丸められ、かつ、ＥＬパネル１０の下側では、ＥＬパネル１０と回路基板１３との間の位置にて、ＥＬパネル１０と回路基板１３とを向かい合わせるように曲げられるようにクランク形状となっている。
【００５３】
なお、左右両縁部１０ｂが特許請求の範囲に記載の第１、第２の縁部に相当し、下縁部１０ｂが特許請求の範囲に記載の第３の縁部に相当する。
【００５４】
回路基板１３は長方形形状であり、駆動ドライバＩＣ１８および走査ドライバＩＣ１９を備えている。ＦＰＣ２１によって、ＥＬパネル１０中の第１電極と回路基板１３中の走査ドライバＩＣ１９とが電気的に接続されている。
【００５５】
ＦＰＣ２２は回路基板１３よりも長手方向が短い長方形形状となっており、ＥＬパネル１０の下縁部１０ｂに接続されている。このＦＰＣ２２により、ＥＬパネル１０中の第２電極と回路基板１３中の駆動ドライバＩＣ１８とが電気的に接続されている。
【００５６】
図８では、ＥＬパネル１０の左右側縁部１０ｂに接続されているＦＰＣ２１を丸めこみ、これをケース等に納めることにより、ＥＬパネル１０の左右側縁部１０ｂに設けられる枠部の幅を狭めることができる。これにより、上記した従来構造と比較して、ＥＬパネル１０の透明感を損なわないようにすることができる。
【００５７】
また、ＥＬパネル１０と回路基板１３との間の位置にて、ＥＬパネル１０と回路基板１３とを向かい合わせるように折り曲げることができる。以上のことから、本実施形態によれば、図９に示すように、折りたたみ構造を有する卓上表示装置を得ることができる。なお、図９はＥＬパネル１０にケース２３を付け、回路基板１３をケース２４に収納した状態を示している。
【００５８】
なお、本実施形態では、ＦＰＣ２１、２２の形状はそれぞれ、クランク形状、長方形形状であったが、ＥＬパネル１０の左右両縁部１０ｂ側では、ＥＬパネル１０の左右両縁部１０ｂに設けられる枠部の幅が小さくなるように曲げられ、かつ、ＥＬパネル１０の下縁部１０ｂ側では、ＥＬパネル１０と回路基板１３との間の位置にて、ＥＬパネル１０と回路基板１３とを向かい合わせるように曲げられる形状であれば他の形状とすることもできる。
【００５９】
例えば、図８中のＥＬパネル１０の下側にて、ＦＰＣ２１とＦＰＣ２２とを連結させ、ＦＰＣ２１とＦＰＣ２２とが一体となった形状とすることもできる。
【００６０】
（他の実施形態）
上記した各実施形態では、各図に示すように、ＥＬパネル１０の形状は矩形の場合を説明したが、ＥＬパネル１０の形状は矩形に限られない。ＥＬパネル１０において、横のストライプ状に配置された第１電極２に対して両端を、それぞれの端に最も近いＥＬパネル１０の縁部１０ｂにて、ゴムコネクタ１１若しくはＦＰＣ２１等の接続手段と接続させることができ、縦のストライプ状に配置された第２電極６の一端を最も近いＥＬパネル１０の縁部１０ｂにて、接続手段に接続できる形状であれば他の形状とすることもできる。
【００６１】
例えば、ＥＬパネル１０の形状を矩形の角に丸みをつけた形状としたり、台形形状等の形状とすることもできる。特許請求の範囲に記載の透明表示部の形状が略矩形形状であるとは、単に矩形形状に限らずこのような形状をも含むことを意味する。
【００６２】
また、上記した各実施形態では、第１透明電極２、第２透明電極６は回路基板１３との接続部分まで含めてＩＴＯの透明材料により構成されているが、例えば回路基板１３との接続部分を低抵抗の金属材料により構成しても良い。要はこれら電極が交差して画素を構成する部分を透明電極材料により構成すれば良い。
【００６３】
なお、上記した各実施形態では、ＥＬ表示装置について説明したが、透過性液晶表示装置、透過性蛍光表示装置にも本発明を適用することは勿論である。
【図面の簡単な説明】
【図１】本発明の第１実施形態におけるＥＬ表示装置の外観を示す正面図である。
【図２】図１のＥＬ表示装置を分解したときの様子を示す図である。
【図３】図１のＥＬ表示装置のＥＬパネル中における電極配線の配置および各ドライバＩＣとの接続状態を模式的に示す図である。
【図４】図１のＥＬ表示装置に用いられるゴムコネクタの外観を示す斜視図である。
【図５】図１のＥＬ表示装置において、ゴムコネクタを用いたときのＥＬパネルと回路基板との接続状態を示す図であり、図１中のＡ−Ａ線断面図である。
【図６】図１のＥＬ表示装置において、ゴムコネクタを用いたときのＥＬパネルと回路基板との接続状態を示す図であり、図１中のＢ矢視図である。
【図７】本発明の第２実施形態におけるＥＬ表示装置の外観を示す正面図である。
【図８】本発明の第２実施形態におけるＥＬ表示装置の外観を示す正面図である。
【図９】本発明の第２実施形態におけるＥＬ表示装置の外観を示す斜視図である。
【図１０】本発明および従来構造におけるＥＬパネルの構造を示す断面図である。
【符号の説明】
１…ガラス基板、２…第１電極、３…第１絶縁膜、４…発光層、
５…第２絶縁膜、６…第２電極、７…接着剤、８…カバーガラス、
９、１４…カバー、１０…ＥＬパネル、１１…ゴムコネクタ、
１２…スペーサ、１３…回路基板、１５…スクリュ、
１６…シリコンゴム、１７…金属電極、１８…駆動ドライバＩＣ、
１９…走査ドライバＩＣ、２０…回路基板の電極配線、
２１、２２…ＦＰＣ、２３、２４…ケース。
【図１】
2004163827.tif 000003
【図２】
2004163827.tif 000004
【図３】
2004163827.tif 000005
【図４】
2004163827.tif 000006
【図５】
2004163827.tif 000007
【図６】
2004163827.tif 000008
【図７】
2004163827.tif 000009
【図８】
2004163827.tif 000010
【図９】
2004163827.tif 000011
【図１０】
2004163827.tif 000012